(57)【要約】一つ以上のランプを隣接グループから互いに制御された制御グループにバインディングする方法を開示する。先ず、隣接グループのランプのアドレスが要求される。アドレス要求に応答してランプから受信した第１アドレスは、隣接グループにおける第１ランプの（ＡＤＤＲ１として表される）アドレスとして考察される。隣接グループのランプは、隣接部の第１ランプのアドレスＡＤＤＲ１を有するか否かについて問い合わされる。問合せに対する応答は、当然、アドレスＡＤＤＲ１を有する第１ランプから受信される。さらに、問合せに対する他の一つ以上の応答が隣接グループの他のランプのうちの一つ以上から受信されるか否か決定される。他の応答が受信されると、アドレスＡＤＤＲ１を有する全てのランプは、そのアドレスをランダム化するよう命令される。隣接グループのランプのアドレスに対する要求を開始するこれらのステップは、どのランプがアドレスＡＤＤＲ１を有するかに関連する問合せに対して他の応答が受信されなくなるまで繰り返される。
2004535054.tif 000002
【特許請求の範囲】
【請求項１】
装置の隣接グループから一つ以上の装置を結び付ける無線コントローラを具え、そのコントローラが、データを処理するとともに信号をフォーマット化するプロセッサと、信号を送受信する送受信機とを有し、前記コントローラが、バインディング手順で、アドレス問合せ信号を第１装置のアドレスに送信し、前記アドレス問合せ信号に対する問合せを前記第１装置から戻し、前記アドレス問合せ信号に対する他の一つ以上の応答が前記隣接グループの他の装置の一つ以上から受信したか否かを決定し、前記アドレス問合せ信号に対する他の一つ以上の問合せが受信された場合、ＡＤＤＲ１に指定されたアドレス信号をランダム化することを特徴とする装置。
【請求項２】
前記コントローラが隣接部の前記第１装置のアドレスＡＤＤＲ１にアドレス問合せ信号を送信する前に、前記コントローラが、前記バインディング手順で、前記隣接グループの装置にアドレス要求信号を送信するとともに、前記隣接部の第１装置のアドレスＡＤＤＲ１としてのアドレス要求信号に応答して、前記装置から受信した第１アドレスを用いることを特徴とする請求項１記載の装置。
【請求項３】
前記アドレス問合せ信号に対する他の一つ以上の応答を受信した場合、前記コントローラが、ＡＤＤＲ１に指定されたランダム化アドレス信号を送信し、次いで、前記コントローラが、ａ）前記隣接グループの装置に対する送信アドレス要求信号の送信、ｂ）隣接部の第１装置のアドレスＡＤＤＲ１としてのアドレス要求信号に応答して、前記装置から受信した第１アドレスの使用、ｃ）隣接部の第１装置のアドレスに対するアドレス問合せ信号の送信、ｄ）前記第１装置からのアドレス問合せ信号に対する応答の帰還、ｅ）前記アドレス問合せ信号に対する他の一つ以上の応答を隣接部の他の装置の一つ以上から受信したか否かの決定、ｆ）前記アドレス問合せ信号に対する他の一つ以上の応答を受信した場合のＡＤＤＲ１に指定されたランダム化アドレス信号の送信を繰り返すことを特徴とする請求項
２記載の装置。
【請求項４】
前記コントローラが、前記第１装置からのアドレス問合せ信号に対する応答を前記アドレス問合せ信号に対する他の問い合わせなく戻し、次いで、前記コントローラが、前記バインディング手順で、識別要求信号をアドレスＡＤＤＲ１に送信し、それ自体を識別するセンサ出力を前記コントローラのオペレータに供給するよう前記第１装置に命令することを特徴とする請求項３記載の装置。
【請求項５】
前記第１装置の出力識別の受信に続いて、前記オペレータが、バインドコマンド及びスキップコマンドのうちの一方を入力し、前記バインドコマンドによって、前記コントローラが、前記コントローラによって制御された装置の制御グループに前記第１装置を結び付け、前記スキップコマンドによって、前記コントローラが、前記第１装置を結び付けないままにすることを特徴とする請求項４記載の装置。
【請求項６】
前記バインドコマンドに応答する前記制御グループに対する前記第１装置のバインディングが、前記第１装置に対する独自のアドレスのメモリへの格納を具えることを特徴とする請求項５記載の装置。
【請求項７】
前記バインドコマンドに応答する前記制御グループに対する前記第１装置のバインディングが、前記コントローラが前記第１装置のＡＤＤＲ１にアドレス指定した信号を送信して、ＡＤＤＲ１から独自のアドレスまでアドレスを再プログラムするよう前記第１装置に命令することを特徴とする請求項５記載の装置。
【請求項８】
前記装置をランプとすることを特徴とする請求項７記載の装置。
【請求項９】
無線コントローラに結び付けうる装置であって、アドレスを有するプロセッサと、信号が送受信される送受信機とを具え、前記プロセッサが、バインディング手順で、アドレスを具える信号を、ａ）アドレス問合せ信号の受信に応答して送信し、ｂ）ランダム化アドレス信号の受信に応答してそのアドレスをランダム化し、ｃ）前記アドレスに指定されたアドレス問合せ信号の受信に応答して応答信号を送信するようプログラムされたことを特徴とする装置。
【請求項１０】
前記プロセッサが、前記バインディング手順で、前記アドレスに指定された信号に応答して前記アドレスを再プログラムして新たなアドレスを具えるよう更にプログラムされたことを特徴とする請求項９記載の装置。
【請求項１１】
前記装置をランプとしたことを特徴とする請求項１０記載の装置。
【請求項１２】
一つ以上の装置を隣接グループから互いに制御された制御グループにバインディングする方法であって、
ａ）前記隣接グループの装置のアドレスを要求するステップと、
ｂ）前記隣接グループの第１装置のアドレスとしてのアドレス要求に応答して、前記装置から受信した第１アドレスを考察するステップと、
ｃ）隣接部の前記第１装置のアドレスＡＤＤＲ１を有するか否かを前記隣接グループの装置に問い合わせるステップと、
ｄ）ステップｃの問合せに対する応答を前記第１装置から受信するステップと、
ｅ）ステップｃの問合せに対する他の一つ以上の応答が前記隣接グループの他の装置の一つ以上から受信したかを決定するステップと、
ｆ）アドレスＡＤＤＲ１を有する全ての装置に命令して、ステップｃの問合せに対する他の一つ以上の応答がステップｅで受信すべきと決定したときにそのアドレスをランダム化するステップとを具えることを特徴とする方法。
【請求項１３】
ステップｃの問合せに対する他の応答が受信されないとステップｅで決定されるまで、ステップａ〜ｆを繰り返すことを特徴とする請求項１２記載の方法。
【請求項１４】
ステップｃの問合せに対する他の応答が受信されないとステップｅで決定された後に、
ｇ）オペレータに対して前記第１装置を識別するセンサ出力を発生するよう第１装置に命令するステップを更に具えることを特徴とする請求項１３記載の方法。
【請求項１５】
ｈ）前記制御グループの一部として前記第１装置をバインディングするステップと、
ｉ）前記バインディング手順における更なる考察から前記第１装置を除去するステップと、
ｊ）ステップａで開始する前記方法を繰り返すステップとを更に具えることを特徴とする請求項１４記載の方法。
【請求項１６】
ｈ）前記制御グループの一部として前記第１装置をバインディングすることなく、前記バインディング手順の更なる考察から前記第１装置を除去するステップと、
ｉ）ステップａで開始する前記方法を繰り返すステップとを更に具えることを特徴とする請求項１４記載の方法。
【請求項１７】
前記装置をランプとしたことを特徴とする請求項１２記載の方法。
【発明の詳細な説明】
【技術分野】
【０００１】
本発明は、一般に、照明設備及びランプの無線制御に関し、更に詳しくは、照明設備及びランプの位置決め情報を用いて照明器具及びランプを制御するネットワークを構成する装置及び方法に関する。
【背景技術】
【０００２】
現在利用されている照明制御装置は、照明設備又はランプを制御するために赤外（ＩＲ）信号及び／又は無線周波（ＲＦ）信号を使用している。図１を参照すると、ＩＲ制御を組み込んだ既知の照明装置のセクションを示す。二つのランプ１０ａ，１０ｂが領域Ｒに配置されている。コントローラ１２は、ランプ１０ａ，１０ｂにそれぞれ接続され、ランプをターンオンし及びターンオフするために用いられる。赤外センサ１４は、例えば手に握られた送信機１６とすることができるＩＲ送信機１６からＩＲ信号を受信する。ＩＲ送信機１６がセンサ１４を指示するとともにＩＲ信号１８を出射すると、ＩＲセンサ１４はコントローラ１２に信号送信してランプ１０ａ，１０ｂの状態を変更し、すなわち、ランプをターンオン又はターンオフする。
【０００３】
さらに、コントローラ１２は、コントローラ１２を接続するネットワークコントロールボックス２２に接続したバスを含むネットワークを通じて（図示しない）コンピュータによって制御される。したがって、ランプ１０ａ，１０ｂをネットワークを通じて制御することもできる。ネットワークは、他の複数の領域を含むことができ、そのうちの一つを、主要な参照番号を付して示す。図示したように、他の領域のランプも、（送信機１６’のような）ＩＲ送信機によって又はネットワーク制御を通じて制御することができる。ＩＲ制御は複数の不都合を有する。例えば、ＩＲ送信機及び受信機は比較的高価である。さらに、ＩＲ送信機は、比較的狭いビームを有し、したがって、送信機と受信機との間に明瞭で妨げのないラインを必要とする。したがって、例えば、点状に配置されたＩＲ送信機が広い開放されたオフィスエリアで複数のランプを制御すべき場合、多数の高出力のＬＥＤが、送信機とランプコントローラに隣接する受信機との間の複雑な幾何学的関係とともに要求される。また、一般に、ＩＲ受信機及びコントローラを、制御すべき単一のランプの各々にワイヤ接続する必要があり、これによってコスト及び複雑さが一層増大する。
【０００４】
ＲＦ制御によって、ＩＲ制御の不都合の多くが軽減され又は除去される。図２を参照すると、ＲＦ制御を組み込んだ既知の照明装置のアナログ区分を示す。また、２個のランプ５０ａ，５０ｂが領域Ｒに配置される。ＲＦ送受信機が各ランプ５０ａ，５０ｂにワイヤ接続され、したがって、各ランプ５０ａ，５０ｂは、個別のＲＦアンテナ５２ａ，５２ｂを有する。無線コントローラ５６は、ＲＦ信号５８を送信して、ランプ５０ａ，５０ｂをターンオン又はターンオフする。ＲＦ信号は、全方向に出射され、検出すべき視線を必要としない。したがって、コントローラ５６からのＲＦ信号５８が、両方のランプ５０ａ，５０ｂの受信機の電子的なアドレスを含む場合、それは、コントローラ５６の単一の動作によって両方のランプを制御する。
【０００５】
さらに、ネットワークコントロールボックス６２は、バス６０を通じてコンピュータネットワークに接続される。ネットワークコントロールボックス６２は、ランプ５０ａ，５０ｂの切替の指定を含みうるＲＦ信号６８を送信するＲＦアンテナも有する。装置の隣接する領域Ｒ’も、主要な参照番号を付したアナログ要素で表す。さらに、適切なアドレス指定によって、単一のネットワークコントロールボックス６２から出射されたＲＦ信号６８は、両領域のランプを制御することができる。
【０００６】
したがって、ＲＦ制御は、少数のＲＦ送信機で広範囲をカバーすることができ、無線が壁部を通過するとともに無指向性で放出されるので、ＲＦ制御は、複雑さ及びコストを減少する。有線（又は再有線(re-wiring)）をほとんど又は全く必要としない。図２を参照すると、ＲＦ制御を実現するには、ネットワークコントロールボックスをＲＦ送信機に最適合するとともに、ランプ５０ａ，５０ｂを、ＲＦ送受信機及び大きくないプロセッサ、マイクロプロセッサ又は他の処理装置を有するランプに置換するだけでよい。重要なことは、ＲＦ制御を用いる場合、各ランプがそれ自体の送受信機を有し、したがって、ランプと（図１に示すコントローラ１２のような）コントローラとの間に有線が存在しない。これによって、図２に示すようなコントローラ５６又はネットワークコンピュータ及び／又はネットワークコントロールボックス６２（以後、コントローラの文脈において単に「ネットワークコントロールボックス」と称する。）に収容されたコントローラによって制御されるランプのグループ分けの変更の際の全体的な柔軟性が提供される。
【０００７】
したがって、ＲＦ制御は、ランプの形態を変更する必要があるとき（例えば、モジュラーオフィスを新たな形態に変更する必要があるとき）にランプの各グループをサービングコントローラに有線で再接続する必要性を減少する。その代わりに、ＲＦプロセスに対して、例えば（送受信機を有する）ハンドヘルドリモートコントローラ又はネットワークコントロールボックスとすることができる特定のコントローラの制御に対するランプの「バインディング」(binding)が存在する。バインディングは、ロケーション、機能又は他の共有性に基づいてランプをグループ分けするプロセスである。したがって、各ランプに組み込まれたＲＦ送受信機及びプロセッサは、固有のアドレスを伴う。ＲＦ送受信機及びプロセッサを含むランプは、先ず、予め規定された関係を任意のコントローラに対して有することなく設備、天井等に取り付けられる（一般的な用語「ランプ」を用いるが、以下のＲＦの文脈において、用語「ランプ」はＲＦ送受信機及び関連の処理機能を有するものと理解されたい）。バインディングプロセスは、一つ以上のランプのアドレスを特定のコントローラに関連し又はプログラムする（上記ネットワークコントロールボックスは、一般に、リモートコントローラ又はハンドヘルドコントローラと同一のＲＦ制御を行い、したがって、明細書では、一般に「コントローラ」と称される後者に焦点を当てる。）。バインディングプロセスは、ランプのアドレスを互いに相違するコントローラに関連させることによってランプの再構成を迅速に行うことができ、このように関連させることは、再有線化に比べて著しく簡単かつ廉価である。
【０００８】
取付け後、ランプ受信機は、一般に、容易にアクセス可能とならない。したがって、コントローラとランプとの間にリンクを確立する必要があるバインディングは、一般に、ランプに対する物理的なコンタクトを有することなく実行される。
【０００９】
しかしながら、ＲＦ制御は、それ自体の複数の不都合を被る。無線照明ネットワークのＲＦ制御に関連したそのような不都合の一つは、既に説明したような特定のコントローラ及び／又はネットワークコントロールボックスに対するランプのバインディングである。ＲＦ制御を用いる共通の無線ネットワークにおいて、各ランプ受信機は、アドレスとともに再プログラミングされ、そのアドレスを含むＲＦ信号を出射するコントローラからの制御信号にのみ応答する。しかしながら、アドレスの個数は有限であり、二つ以上のランプが同一アドレスを有することがある。共通アドレスを有するランプが、互いに相違するコントローラによって制御される場合、干渉が生じるおそれがある。すなわち、コントローラからのＲＦ信号が、制御されたランプのグループの一部出ないランプに到達するおそれがある。ランプが、グループ中のランプの一つと同一アドレスを有する場合、ランプはＲＦ信号に応答する。
【００１０】
干渉は、複数のランプがコントローラの制御範囲内にある場合、例えば、隣接する部屋及びフロアにランプが配置された場合のネットワークで特に生じやすい。個々のランプは、典型的には、予めプログラムされたアドレスを伴う。アドレスを十分に長くする（典型的には、３０ビット以上とする）ことによって、近接するランプ受信機が同一アドレスを有する（「オーバーラップ」と称する。）可能性が非常に小さくなる。しかしながら、全ての製造者がランプに長いアドレスを付与するわけではない。さらに、典型的な有線のデジタルネットワークが、任意の長いアドレスの受信機を有するとしても、それは、最終的には、通常動作に対して短いアドレスを再指定する（この一例は、デジタルアドレス指定可能照明インタフェース(Digital Addressable Lighting Interface: DALI)規格のネットワークである。）。アドレスを短くするとオーバーラップの可能性が増大する。理論的には、全てのランプ受信機を独自のアドレスで再プログラミングすることによって、短いアドレスのオーバーラップを減少し又は除去することができるが、互いに相違する製造者（又は統合規格）間で要求される協力が実現されないおそれがある。
【００１１】
ランプをコントローラ送信機に関連させる実際のバインディング手順は、オーバーラップの問題を強調する。複数の隣接するランプを特定のコントローラの制御グループの一部として関連させることを所望する場合、バインディング手順の重要なステップは、グループに含まれるべき各ランプのアドレスをコントローラによって「見つける」ことである。種々のアルゴリズム又はプロトコルが、このタスクを実行するために存在する。一般に、バインディング手順は、１）任意のコントローラに結び付け（「取り付け」）られていない未取付けランプの存在を識別するステップと、２）そのような未取付けランプのアドレスを決定するとともにそれを選択するステップと、３）グループ内に存在するのを所望されるランプであるか否かを決定するために、選択したランプの視覚的な表示を行うステップと、４）グループ内に存在するのを所望されるランプである場合に、ランプを結び付けるステップとを有する。バインディングは、ランプのアドレスをコントローラにプログラミングすることによって生じ得る。また、コントローラは、コントローラでプログラムされた他の任意のものから独自のものである新たなアドレスを採用するとともに、ランプを新たなアドレスに再プログラムすることができる。その後、コントローラは、次の取り付けられていないランプに対して手順を進行する。
【００１２】
（ランプの点滅のように）ランプが視覚的な信号を発生するのを要求することによって、プログラマーは、取り付けられていないランプのうちのいずれが選択されたかを見ることができ、所望の結び付けるべきグループ内にそれが存在することを確かめる。そうである場合、既に説明したように、実際のプログラミングがランプに対して実現される。しかしながら、第２のランプが、選択されたランプと同一アドレスを有する場合、第２のランプは、上記バインディングプロトコルに従ったとき、第２のランプもグループの一部として結び付けられる。コントローラが独自の新アドレスを採用するとともに、ランプのプロセッサによって再プログラミング用のランプに新アドレスを送信する場合、第２ランプのアドレスが、同様に再プログラミングされ、その結果、結び付けられる。したがって、第２ランプは、再プログラムされたアドレスとともにグループ内に含まれる。当然、このような第２ランプの意図しないバインディングは、結び付けるよう意図したランプのアドレスによるオーバーラップが原因である。
【００１３】
選択後に第２のランプによって付与された視覚的な信号がプログラマに対して可視であるとしても、そのような第２のランプの意図しないバインディングを防止することができない。しかしながら、第２のランプが他の領域（例えば、隣接する部屋又はフロア）に配置される場合、プログラマーがバインディングを検出することなく意図しないバインディングが生じるおそれがある。その理由は、プログラマが第２ランプの視覚的な信号を見ないからである。
【００１４】
したがって、低コストで、干渉が生じるおそれが少なく、かつ、再構成が容易な無線制御装置をバインディングする（結び付ける）装置及び方法が必要とされている。
【発明の開示】
【発明が解決しようとする課題】
【００１５】
したがって、本発明の目的は、特定の１個以上のランプの意図しないバインディングがないランプのような装置のグループをバインディング（結び付ける）装置及び方法を提供することである。
【課題を解決するための手段】
【００１６】
したがって、本発明は、隣接するグループから互いに制御される制御グループに一つ以上の装置、例えばランプをバインディングする方法を提供する。先ず、隣接するグループの装置のアドレスが要求される。アドレス要求に応答して装置から受信した第１アドレスは、隣接するグループの第１の装置の（ＡＤＤＲ１として表される）アドレスとして考慮される。隣接するグループの装置は、それが隣接するグループの第１装置のアドレスＡＤＤＲ１を有するか否かについて問い合わされる。当然、問合せに対する応答は、アドレスＡＤＤＲ１を有する第１装置から受信される。さらに、問合せに対する他の一つ以上の応答が隣接するグループの他の一つ以上の装置から受信されるか否か決定される。他の応答を受信する場合、アドレスＡＤＤＲ１を有する全ての装置は、そのアドレスを任意にするよう命令される。隣接するグループの装置のアドレスに対する要求を開始するステップは、これらステップは、どの装置がアドレスＡＤＤＲ１を有するかに関する問合せに対する応答を受信しないと決定されるまで繰り返される。
【発明の効果】
【００１７】
方法は、問合せに対する他の応答を受信することを決定した後、第１装置を識別する検知出力をオペレータに供給するよう第１装置に命令する。これを、装置からの視覚的な出力とすることができる。例えば、装置がランプの場合、ランプは、その光出力を暗くする。他の例において、装置が無線スピーカの場合、スピーカは音声出力を発生することができる。第１装置は、制御グループの一部として結び付けられ又は結び付けられないままになる。いずれの場合も、第１装置は、バインディング手順の他の考察から除去され、隣接するグループの装置のアドレスに対する要求を開始するステップを繰り返す。
【００１８】
さらに、本発明は、一つ以上の装置を装置の隣接するグループからコントローラに結び付ける無線コントローラを具える装置を具える。コントローラは、データを処理するとともに信号をフォーマット化するプロセッサと、信号を送受信する送受信機とを有する。バインディング手順において、コントローラは、送信アドレス要求信号を、隣接するグループ内の装置に送信する。コントローラは、隣接するグループの第１装置の（ＡＤＤＲ１として表される）アドレスとしてのアドレス要求信号に応答して装置から受信した第１アドレスを用いる。
【００１９】
コントローラは、アドレス問合せ信号をアドレスＡＤＤＲ１に送信する。コントローラは、アドレス問合せ信号を第１装置から戻す。その理由は、それがアドレスＡＤＤＲ１を有するからである。コントローラは、アドレスＡＤＤＲ１に指導されたアドレス問合せ信号に応答する他の一つ以上の応答が隣接するグループの他の装置の一つ以上から受信したか否かも決定する。他の一つ以上の応答を受信する場合、コントローラは、ランダム化したアドレス信号をアドレスＡＤＤＲ１に送信する。
【００２０】
コントローラが、ランダム化したアドレス信号をアドレスＡＤＤＲ１に送信する場合（すなわち、アドレス問合せ信号に対する他の一つ以上の応答を受信する場合）、コントローラは、以前の処理ステップ、すなわち、ａ）送信アドレス要求信号を隣接するグループの装置に送信するステップと、ｂ）隣接するグループの第１装置のアドレスＡＤＤＲ１としてのアドレス要求信号に応答する装置から受信した第１アドレスを使用するステップと、ｃ）アドレス問合せ信号をアドレスＡＤＤＲ１に送信するステップと、ｄ）アドレス問合せ信号の応答を第１装置から戻すステップと、ｅ）アドレス問合せ信号に対する他の一つ以上の応答を隣接するグループの他の装置の一つ以上から受信したか否かを決定するステップと、ｆ）アドレス問合せ信号に対する他の応答を受信した場合、ランダム化したアドレス信号をアドレスＡＤＤＲ１に送信するステップとを繰り返す。ランダム化されたアドレス信号に従って、アドレス要求信号に対して応答する装置から戻る第１アドレスは、当然、以前の第１アドレスとは異なる。その理由は、それがランダム化を経ているからである。したがって、ＡＤＤＲ１によって表されたアドレスは、典型的には、処理を通じた各反復に対して互いに相違する。
【００２１】
第１装置からのアドレス問合せ信号に対する応答がコントローラに戻るとともに、アドレス問合せ信号に対する他の応答がない場合、コントローラは、識別要求信号をアドレスＡＤＤＲ１に送信し、コントローラのオペレータをセンサ出力を用いて識別するよう第１装置に命令する。第１装置の識別の受信に従って、オペレータは、バインドコマンド又はスキップコマンドをコントローラに入力することができる。バインドコマンドによって、コントローラは、第１装置を、コントローラによって制御される装置の制御グループに結び付ける。スキップコマンドによって、コントローラは、第１装置を結び付けないままにする。
【発明を実施するための最良の形態】
【００２２】
本発明の好適な実施の形態を、添付図面を参照して以下説明する。以下の説明において、周知の機能又は構成を詳細に説明しない。その理由は、それが本発明を不必要に曖昧にするからである。明細書中、ランプのグループを具える実施の形態に焦点を当てる。しかしながら、上記発明の開示で反映しているように、本発明は、一般に、本発明をサポートする適切な信号処理機能を有する（同一、同様又は互いに相違する）装置のグループに適用可能である。
【００２３】
本発明の好適な実施の形態の装置及び方法は、近年開発された時間変調された超広帯域（ＵＷＢ）技術を利用する。ＵＷＢ無線信号送信は、例えば数百ピコ秒のオーダの著しく短いパルスを使用し、それを、ナノ秒の十倍（ピコ秒の千倍の十倍）のオーダの時間で分離することができる。ＵＷＢが無線装置の帯域幅を増大するために開発されたとしても、送信機と受信機のクロックの同期を正確にとるとともに、ＵＷＢパルスの飛行時間を決定することによって送信機と受信機との間の距離を数センチの範囲内で測定するために、狭パルス伝送を使用することができる。後に更に説明するように、これら手順は、オーバーラップを除去するためにバインディング手順で用いられる。
【００２４】
ＵＷＢ無線において、単一サイクルのパルス列がＲＦ無線通信チャネルとして用いられる。図３ａは、ＲＦ信号の３個の単一サイクルパルスの列を表す。図３ａに示すパルスは、一定間隔で分離されている。一般に、パルス列は、繰返し擬似ランダムキーによってコード化され、したがって、同一領域内で動作する送信機間の干渉を防止するのに用いることができる個別のデータチャネルを構成する。図３ｂは、符号化されたパルス列を表し、この場合、各パルスは、キーによって決定されるように分離間隔内で任意の位置に移動される。さらに、単一サイクルの各々を変調して、各パルスの位置をシーケンスの規則的な位置から時間的に僅かに変更することによって情報のビット（０又は１）を搬送することができ、パルスの一つを図３ｃに示す。
【００２５】
信号情報は、相関受信機を用いてパルス列から復元される。特定のデータチャネルに対して同一コードキーを用いてプログラムされた相関器は、受信した信号とコードキーとの関をとるとともに、その結果を積分する。出力データを時間的にサンプルして、復調されたデータストリームを生成する。任意の符号化されたシステムにおけるように、データストリームは、送信機に対するコードキーと受信機に対するコードキーが整合したときのみ検出される。相関受信機は、時間的にシフトされた受信した個別の信号上でこの技術を同様に使用し、したがって、個別の信号を同一チャネル上で復元する。
【００２６】
典型的には、送信機のクロックレートと受信機のクロックレートとの間の短時間の整合を、１００ｐｓ未満で行うことができる。既に説明したように、パルスは、典型的には、ナノ秒の数十倍のオーダーのパルス幅を超える数百ピコ秒のオーダーのパルス幅を有する。したがって、これらの特性を有する送信機から放出された同期信号（又は同期をとる任意のＵＷＢ信号）によって、受信機は、そのクロックを送信機に対して上記精度で同期をとることができる。
【００２７】
図４は、本発明の好適な実施の形態による照明設備の無線バインディング及び制御の装置を示す。図４において、コントローラ１５６と、一連のランプ１５０ａ，１５０ｂ，．．．，１５０ｉ，．．．１５０ｎ（以後、参照番号１５０ａ−ｎとして集合的に称する。）とを示す。ランプ１５０ａ−１５０ｎは全て、後に説明しない場合には、ソフトウェアを含めてほぼ同一の構成要素を具える。ランプ１５０ａ−１５０ｎは、（図示しない）照明設備に接続され又は組み込まれる。後に更に説明するように、ランプ１５０ａ−１５０ｎの一部又は全ては、バインディング手順でコントローラに結び付けられ、そのようなバインディングの後、そのように結び付けられたランプが、コントローラ１５６によって制御される。
【００２８】
コントローラ１５６は、典型的には、照明装置を無線遠隔制御するが、ネットワークコントロールボックスのような他の装置とすることもできる。図４ａに示すように、コントローラ１５６は、送受信機１６０に接続したアンテナ１５８を具える。送受信機１６０は、キーパッドのようなユーザインタフェース１６４に接続したマイクロプロセッサ１６２に接続される。後に更に説明するように、マイクロプロセッサ１６２は、（ランプ１５０ｉとバインディングプロセスで選択したランプ１５０ａ−ｎのうちの他の任意のものとのような）ランプをコントローラ１５６に接続するとともに一度結び付けられたランプを制御するために用いられる信号を発生するようプログラムされる。マイクロプロセッサ１６２から発生した信号は、送信機１６０及びアンテナ１５８を通じてランプに送信され、同様に、アンテナ１５８及び送受信機１６０を通じて受信した信号は、処理のためにマイクロプロセッサ１６２に送信される。
【００２９】
説明を容易にするために、ランプ１５０ａ−ｎの構成要素に続いて、図示したランプ１５０ｉの構成要素を、図４ｂに示すとともに、以後説明する。ランプ１５０ｉの構成要素及びプログラミングは、図４ｂの説明において他のランプ１５０ａ−ｎの任意のものを表す。ランプ１５０ｉは、送受信機１５２ｉに接続したアンテナ１５１ｉを具え、送受信機１５２ｉはマイクロプロセッサ１５３ｉに接続される。マイクロプロセッサ１５３ｉは、ランプ１５０ｉとコントローラ１５６との間のバインディング手順で用いられる信号を発生し及び受信するようプログラムされて、ランプ１５３ｉを（図５に関連して後に説明するように）選択されたコントローラ１５６に結び付ける。信号は、アンテナ１５１ｉ及び送受信機１５２ｉを通じてマイクロプロセッサ１５３ｉによってコントローラ１５６から受信される。同様に、マイクロプロセッサ１５３ｉから発生した信号は、送受信機１５２ｉ及びアンテナ１５１ｉを通じてコントローラ１５６に送信される。マイクロプロセッサ１５３ｉも、一度結び付けられたコントローラ１５６からの制御信号を受信するとともにランプ１５０ｉに対する対応する制御信号を発生するようプログラムされる。したがって、マイクロプロセッサ１５３を、ランプ１５０ｉを制御するのに用いられるランプ安定器１５４に接続して示す。
【００３０】
マイクロプロセッサ１５３ｉ，１６２は、既に説明したＵＷＢ無線フォーマットのデータ信号を発生し及び受信するようプログラムされ、それは、バインディング手順でコントローラ１５６及びランプ１５０ｉによって交換される。交換されたＵＷＢ信号が変調される場合、送信機１５６及びランプ１５０ｉの送受信機１６０，１５２ｉはそれぞれ相関器を有する。送受信機１５２ｉ，１６０の相関器はそれぞれ、図３に関連して既に説明したように（送信の際に）信号を変調するとともに（受信の際に）復調するために同一コードキーを有する。コードキーは、各相関器で予めプログラムされ又はセットアップ手順で交換されることができる。さらに、既に説明したように、復調後、受信した信号は、各プロセッサ１５３ｉ，１６０によって時間サンプルされて、復調されたデータストリームを生成する（信号送信のために、データストリームは、マイクロプロセッサ１５３ｉ，１６２により図３ｃに示すのと同様な２値データパルスにフォーマット化され、各送受信機１５２ｉ，１６０の相関器によって図３ｂに示すのと同様なＵＷＢ信号に変調される。）。さらに、各マイクロプロセッサ１５３ｉ，１６２はクロックを有し、この場合、既に説明したように、クロックレートを同期させて、１００ｐｓ未満の良好な整合を行うことができる。
【００３１】
図５は、本発明の実施の形態によるバインディング手順を詳細に説明するフローチャートである。既に説明したように、各ランプ１５０ａ−ｎは、図４ａに関連してランプ１５０ｉに対して既に説明したアナログ素子及びプログラミングを有する。さらに、ランプ１５０ａ−ｎのそうようなアナログ素子を図４ａと同様に示していないが、ランプ１５０ａ−ｎの内部のアナログ素子を、適切な場合には同様な参照番号を用いて言及する。
【００３２】
図５に関連して説明した処理手順は、言及された装置のマイクロプロセッサ、すなわち、コントローラ１５６のマイクロプロセッサ１６２又はランプ１５０ａ−ｎのマイクロプロセッサ１５３ａ−ｎのうちの一つ以上によってプログラムされ及び実行される。既に説明したように、コントローラ１５６とランプ１５０ａ−ｎとの間で実際に送信され及び受信された信号を、送信の前後に適切な送受信機１６０，１５２ａ−ｎの相関器によって変調し及び復調することができる。各ランプ１５０ａ−ｎは、コントローラ１５６から放出された信号の送信範囲内にある。同様に、コントローラ１５６は、ランプ１５０ａ−ｎの各々から放出された信号の範囲内にある。したがって、ランプ１５０ａ−ｎは、バインディング手順中のバインディングに対して考察することができるコントローラ１５６のランプの「隣接する」グループを具える。
【００３３】
図５を参照すると、ステップ２０１において、バインディング手順は、例えば、コントローラ１４５のキーパッド１６４上の適切なキーを押すことによって開始される。バインディング手順を開始した結果、考慮フラグリセット信号が送信機からランプ１５０ａ−ｎに送信される。考慮フラグリセット信号の受信に応答して、各ランプ１５０ａ−ｎは考慮フラグを０にリセットする。このフラグは、ランプがバインディング手順で考慮されたか否かを示す。
【００３４】
図５に示さないが、ステップ２０１，２０２のバインディング手順の開始は、送信機が結び付けフラグリセット信号をランプ１５０ａ−ｎに送信することを含んでもよい。受信に応答して、各ランプ１５０ａ−ｎは、結び付けフラグを０にリセットする。後に説明するように、このフラグは、ランプが既にコントローラ１５６又は他のコントローラに結び付けられているか否かを示す。したがって、ランプ１５０ａ−ｎの結び付けフラグのリセットは、コントローラ１５６の隣接するグループのランプ１５０ａ−ｎの全ての以前の任意のバインディングを有効に消去する。したがって、結び付けフラグリセットの送信は、キーパッド１６４を通じてオペレータによって個別の入力を必要とする。
【００３５】
コントローラ１５６は、アドレス要求をランプ１５０ａ−ｎの隣接部に送信する（ステップ２０３）。ステップ２０５において、ランプが要求を受信する。ランプが、コントローラ１５６から互いに相違する距離で配置されているので、各ランプは、互いに相違する時間でアドレス要求を受信し、それは、特定のランプとコントローラ１５６との間の距離に伴って増大する。受信後、ステップ２０７に示すように、各ランプ１５０ａ−ｎは、（コントローラ１５６又は他のコントローラに）現在結び付けられているか否か決定する。したがって、各ランプ１５０ａ−ｎは、（ランプが結び付けられた後にメモリにセットされる）結び付けフラグをチェックする。各ランプ１５０ａ−ｎも、考慮フラグが（まだ考慮されていないことを意味する）０と（既に考慮されたことを意味する）１のいずれであるかをチェックすることによって既にバインディングを考慮したか否かを考慮する。ランプ１５０ａ−ｎのうちの任意のものが既に結び付けられ又は既に考慮された場合、ステップ２０２に示すように、手順は、これらランプの各々の範囲内で終了する（例えば、結び付けられ又は既に考慮されたランプがバインディング手順に更に応答しない。）。
【００３６】
アドレス要求を受信するランプ１５０ａ−ｎの隣接部の利用できる（結び付けられておらず、かつ、以前に考慮されていない）ランプは、その内部クロックとアドレス要求信号との同期をとり、したがって、既に説明したように、その内部クロックがコントローラ１５６のクロックの１００ｐｓ内で同期をとる（ステップ２０９）。ステップ２１１に示すように、利用できるランプは、内部クロックによって駆動されるタイマを始動する。利用できるランプの各々は、各アドレスをコントローラ１５６に戻す前に、予め決定された時間ｔ０だけ遅延を行う（ステップ２１３）。
【００３７】
利用できるランプの各々の内部クロックが１００ｐｓ  ｒｍｓ内でコントローラ１５６の同期をとるので、利用できるランプの各々は、１００ｐｓ以下の誤差を有するｔ０の時間遅延を生じる。ランプが、コントローラ１５６から数メートル、例えば３メートルの距離で配置されるので、コントローラとランプとの間の伝達時間は、３０００ｐｓのオーダーとなる。したがって、同期に起因する時間遅延ｔ０の誤差は、実質的には信号伝達時間の数パーセントの誤差となる。
【００３８】
数メートル（特定の例では３メートル）のランプとコントローラ１５６との分離に対して、伝達時間におけるこの実質的な誤差は、コントローラ１５６と利用できるランプとの間の距離において数センチメートルのオーダーの実質的な誤差となる。したがって、利用できるランプの各々とコントローラ１５６との間の距離が全て数センチメートルを超えて互いに相違する場合、コントローラ１５６が戻す第１アドレスは、アドレス要求信号及び戻りアドレス信号によって伝播された距離が最小である利用できるランプからのものである。これは、当然、コントローラ１５６に最も近接する利用できるランプである。これを、図５のステップ２１５に示す。
【００３９】
（最も近い利用できるランプからの）第１アドレスがコントローラ１５６によって受信されると、停止送信信号がコントローラから放出され、（まだアドレスを送信していない）他のランプに対してアドレスの送信を中止するよう命令する（ステップ２１７）。受信の際、まだアドレスを送信していない利用できるランプは、その後アドレスを送信しない（ステップ２１９）。
【００４０】
（ＡＤＤＲ１を付した）第１アドレスを受信した後、コントローラ１５６は、利用できるランプのアドレス間で第１アドレスが独自のものであるか否かを決定する。そうである場合、アドレス問合せが、コントローラ１５６によって、利用できるランプに送信される（ステップ２２１）。アドレス問合せはＡＤＤＲ１を有する。アドレスＡＤＤＲ１を有する任意のランプは、応答をコントローラ１５６に送信する（ステップ２２５）。コントローラ１５６は、一つより多いランプが応答するか否か決定するために走査を行い（ステップ２２７）、全ての応答が確実に受信されるよう十分な時間の待機を行う。最も近いランプは、当然応答する。一つより多いランプが応答する場合、コントローラは、アドレスＡＤＤＲ１を有する全てのランプを命令する信号を送信して、アドレスをランダム化する（ステップ２２９）。ステップ２３１において、ランプが信号を受信し、アドレスＡＤＤＲ１を有するランプはそれぞれ、他のアドレスをランダムに選択する（ステップ２３１）。ステップ２３２に示すように、コントローラ１５６はステップ２０３に戻り、「送信アドレス要求」ステップからバインディング手順を繰り返す。
【００４１】
そのようなランダム化が生じ、バインディング手順がステップ２０３に戻ると、既に説明したようにステップ２２７を通じて同様に手順が進行する。しかしながら、処理を通じて次に通過する間に最も近い利用できるランプからコントローラ１５６によって受信した第１アドレスＡＤＤＲ１が、予めランダム化されているので、ステップ２２７においてアドレスＡＤＤＲ１を有するものとして一つを超えるランプが応答することは、ほとんどない。
【００４２】
ステップ２２７において単一の応答のみ（すなわち、アドレスＡＤＤＲ１を有する最も近いランプから）受信された場合、コントローラ１５６は、（ランプを指定するためにＡＤＤＲ１を用いて）識別要求を送信して、薄暗くするようランプに命令し、その結果、操作者は、どのランプが考察中であるかを見ることができる（ステップ２３３，２３５）。ステップ２３７において、操作者が、コントローラ１５６によって制御されたランプのグループに当該ランプを結び付けることを所望する場合、オペレータは、コントローラ１５６の一つ以上の適切なキーを押す。バインディング信号は、コントローラ１５６によってフォーマット化され、ステップ２３９に示すように、（例えば、アドレスＡＤＤＲ１を有するランプに信号を指定することによって）考察中のランプに送信される。信号は、コントローラのアドレスと、考察中のランプに対する独自のショートアドレスとを有する（ステップ２４１）。バインディング信号の受信に応答して、考察中のランプは、そのアドレスを、コントローラのアドレスと受信したショートアドレスとの組み合わせである独自の２部のアドレスに再プログラムする。同様に、コントローラ１５６は、このように組み合わされた２部のアドレスをそのメモリにプログラムする。
【００４３】
考察中のランプの再プログラムされた２部のアドレスが隣接グループの結び付けられていないランプのアドレスとオーバーラップするおそれを回避するために、互いに相違するアドレス長を、（考察中のランプのような）結び付けられたランプ及び結び付けられていないランプに対して設定する。例えば、結び付けられていないランプは、２４ビットのランダムアドレスを有することができ、それに対して、結び付けられたランプは、３２ビットの全アドレス長に対して、（例えば２４ビットを有する）コントローラアドレス及び（例えば８ビットを有する）ショートアドレスに応答するように設定される。さらに、以前に他のコントローラに結び付けられたランプは、その２部のアドレスの一部として互いに相違するコントローラアドレスを有する。
【００４４】
これによって、コントローラ１５６に対する考察中のランプのバインディングを完了する。したがって、考察中のランプも、ステップ２４１で既に説明したように「結び付け」フラグをセットする。考察中のランプのバインディングの後、手順がステップ２０３に戻り、その結果、次に最も近い利用できるランプが、バインディングのためにオペレータによって選択され及び考察される。
【００４５】
考察中のランプが、コントローラ１５６に対するバインディングのためにオペレータによって選択されなかった場合、当該ランプの考察フラグがステップ２４３で１にセットされ、手順がステップ２０３に戻り、その結果、次に近い利用できるランプが、バインディングのためにオペレータによって選択され及び考察される。
【００４６】
したがって、図５Ａ〜５Ｃのバインディング手順は、バインディングのために最も近くの利用できるランプを考察する。オペレータは、コントローラ１５６によって制御されたグループにランプを結び付け又はそれをスキップする。いずれの場合にも、ランプは、結び付けられるか考察され、したがって、もはや利用できない。したがって、処理がステップ２０３に戻ると、最も近くの利用できるランプは、コントローラ１５６に２番目に近いランプである。このようにして、ランプの隣接部の利用できるランプの各々は、コントローラ１５６によって制御されたグループに結び付けられ、又は処理ステップ２０３〜２４５の連続的な通過をスキップする。処理の繰返しの各々において、考察中の最も近くで利用できるランプが、ランプ１５０ａ−ｎの隣接部に含まれる他のランプと同一のアドレスを有する場合、共通のアドレスを有するランプのアドレスがランダム化され、処理がステップ２０３で継続する。したがって、手順は、隣接部のランプの意図しないバインディングを除去する。その理由は、それが隣接部の他のランプと同一アドレスを有するからである。
【００４７】
好適な実施の形態において、コントローラ１５６によって制御されるグループの各ランプは、コントローラアドレス及びショートアドレスを具える同一の２部のアドレスにより既に説明したように再プログラムされる（したがって、この場合、２部のアドレスは、コントローラ１５６によって制御されるグループにおけるランプのグループに対して「独自」である。）。このことは、コントローラによって順次送信される制御コマンドの実現を容易にする。その理由は、グループ中の結び付けられたランプの全てをアドレス指定するために一つの２部アドレスがコントローラ１５６によって送信されるだけでよいからである。
【００４８】
ステップ２１５においてランプ１５０ａ−ｎの隣接部にもはや利用できるランプが存在しないとき、図５のバインディング手順が終了する。したがって、コントローラ１５６がステップ２１５でアドレスを受信しない場合、バインディング手順が終了する。その結果、曖昧でない出力（視覚及び／又は音声）がオペレータに信号送信され、手続が完了する。（バインディング手順が終了したという装置からのそのように明瞭な信号によって、例えば、考察中のランプが図５のステップ２３５で薄暗くなる事態を防止するが、他の部屋ではオペレータから見えなくなる。その場合、オペレータは、バインディング手順が実際の終了前に終了したと誤って仮定するおそれがある。）オペレータは、（例えば、結び付けられたグループの一部であると候補に上げられた特定のランプが全て結び付けられているときに、）コントローラのキーパッド１６４の適切なキーを押すことによって処理を手動で早めに終了してもよい。
【００４９】
既に説明したように、バインディング手順が完了した後、コントローラ１５６によって制御されたグループに結び付けられた各ランプは、コントローラアドレス及び独自のショートアドレスを具える同一の独自の２部アドレスを有する。コントローラ１５６は、独自の２部アドレスをメモリに格納することもでき、それを、コントローラ１５６によって制御されたグループに結び付けられたランプを独自にアドレス指定するのに使用することができる。したがって、コントロールキーがキーボード１６４上で押された場合、コントローラ１５６は、グループ中の結び付けられたランプの全てをアドレス指定する２部アドレスを有する対応するコマンド信号を放出する。ランプは、コマンド信号でアドレス指定された場合にのみ制御コマンド信号に応答するようプログラムされる。送信されたコマンド制御信号は、命令「オン」、「オフ」、「１０％薄暗く」等を組み込む。したがって、コマンド制御信号が送信されると、結び付けられたランプの全ては、同時にアドレス指定され、したがってコマンドに応答する。
【００５０】
既に説明されたように、好適には、コントローラ１５６によって制御されるグループに結び付けられるべき各ランプを、バインディング手順中に同一の２部アドレスによって再プログラミングされる。これによって、各ランプを、２部アドレスを指定するコントローラ１５６によって放出された単一制御信号によって同時に制御することができる。互いに相違する２部アドレスを、（例えばコントローラアドレス及び各ランプに対して互いに相違するショートアドレスを具える）バインディングプロセス中にコントローラ１５６によって制御すべき各ランプを再プログラムする間、これを実現するには更に複雑になる。そのような実現において、制御キーがキーパッド１６４上で押されると、コントローラ１５６は、コントローラ１５６に結び付けられた各ランプの互いに相違する２部アドレスの各々を指定する対応する制御コマンドを放出する。
【００５１】
図５Ａ〜５Ｃに関連して既に説明したバインディングの実施の形態の更なる向上において、バインディング手順は、バインディングに対して考慮されるべきためにランプから所定の指定された距離内になるようコントローラ１５６（、したがって、コントローラを操作するオペレータ）に要求してもよい。バインディング手順は、一部を変更して図５ａ〜５ｃに与えられたものとほぼ同一である。例えば、ステップ１５において、コントローラ２１５を、（ステップ２０３において）送信要求から見積られた最大遅延間隔内で受信したアドレスに対して走査するよう設定することができる。最大遅延間隔内で信号を受信すべきという要求は、ステップ２１５でランプのアドレスを受信するためにコントローラとランプとの間の最大半径が存在する必要があることを示す。
【００５２】
最大遅延間隔と、コントローラ−ランプ間の最大半径との間の相関は、
2004535054.tif 000003
この場合、ｄを、コントローラとランプとの間の最大半径とし、
2004535054.tif 000004
を、送信機によって測定された最大遅延間隔とし、ｔ０を、既に説明したようにアドレス送信前に全てのランプによって生じる時間遅延とし、ｃを、光速とする。
【００５３】
適切な最大遅延間隔を選択することによって、例えば、オペレータに対して、バインディングに対して考慮すべきランプの５フィート（又はそれ未満）の距離内に存在するよう要求することができる。コントローラ２１５が、ステップ２１５で最大遅延間隔内でアドレスを受信しない場合、コントローラは、予め決定された時間の待機を行い、ステップ２０５に戻り、他の送信要求に従う。これによって、オペレータには、バインディング手順を実行する際に部屋の周りで各ランプに近づく時間が与えられ、バインディング手順を再開する必要がなくなる。（バインディング手順のそのような再開により、ステップ２０２で考慮フラグの不所望なりセットが行われる。）これを、バインディング手順を実行する技術者に対して更に自然なプロトコルにすることができる。
【００５４】
コントローラ１５６をハンドヘルド装置として説明したが、ネットワークコンピュータやコントロールボックスのような固定されたコントローラを含む他の装置にコントローラ１５６を組み込めることは、容易に理解できる。さらに、上記処理を、ネットワークコントロールボックスと遠隔地との間で分けることができる。したがって、遠隔地によって、オペレータは、ネットワークコントロールボックスに含まれるコントローラに信号を送信して、バインディング手順を開始することができる。ネットワークコントロールボックスのコントローラが、図５Ａのステップ２３７のようなランプの選択を選び又はスキップするオペレータ入力を要求する場合、信号を遠隔と再び交換することができ、それによって、オペレータは所望の選択を行う。さらに、バインディング手順の処理がネットワークコントロールボックスで物理的に生じる必要がなく、リモートコンピュータで生じてもよい。ネットワークコントロールボックスは、隣接ランプを有する信号との交換を行うのに用いられる送受信機を有してもよい。信号を、（例えば図５Ａ〜５Ｃのステップに従って、）バスを通じてコントロールボックスと通信を行うリモートコンピュータで処理することができる。次いで、制御信号を、ネットワークコンピュータによって開始し、結び付けられたランプへの送信のために一つ以上の適切なネットワークコントロールボックスに指導することができる。
【００５５】
さらに、コンピュータ１５６が、上記実施の形態のようにハンドヘルドリモートである場合、バインディング手順が完了した後、制御されたグループの結び付けられたランプのアドレスを、ネットワークコンピュータにダウンロードすることができ、制御を、適切なネットワークコントロールボックスを通じてネットワークコンピュータによって実行することができる。
【００５６】
本発明は、上記実施の形態に限定されるものではなく、幾多の変更及び変形が可能である。
【図面の簡単な説明】
【００５７】
【図１】ＩＲ照明制御装置の構成要素を示す。
【図２】ＲＦ照明制御装置の構成要素を示す。
【図３ａ】超広帯域無線の信号表示である。
【図３ｂ】超広帯域無線の信号表示である。
【図３ｃ】超広帯域無線の信号表示である。
【図４】本発明の実施の形態をサポートするＲＦ照明制御装置の構成要素を表す。
【図４ａ】本発明の実施の形態をサポートするＲＦ照明制御装置の構成要素を表す。
【図５Ａ】本発明の実施の形態によって実施される処理ステップのフローチャートである。
【図５Ｂ】本発明の実施の形態によって実施される処理ステップのフローチャートである。
【図５Ｃ】本発明の実施の形態によって実施される処理ステップのフローチャートである。
【図５Ａ】
2004535054.tif 000005
【図５Ｂ】
2004535054.tif 000006
【図５Ｃ】
2004535054.tif 000007
【国際公開パンフレット】
2004535054.tif 000008
2004535054.tif 000009
2004535054.tif 000010
2004535054.tif 000011
2004535054.tif 000012
2004535054.tif 000013
2004535054.tif 000014
2004535054.tif 000015
2004535054.tif 000016
2004535054.tif 000017
2004535054.tif 000018
2004535054.tif 000019
2004535054.tif 000020
2004535054.tif 000021
2004535054.tif 000022
2004535054.tif 000023
2004535054.tif 000024
2004535054.tif 000025
2004535054.tif 000026
2004535054.tif 000027
2004535054.tif 000028
2004535054.tif 000029
2004535054.tif 000030
2004535054.tif 000031
2004535054.tif 000032
2004535054.tif 000033
【国際調査報告】
2004535054.tif 000034
2004535054.tif 000035